(57)【要約】      （修正有）【課題】梯子を昇降の際に、ロリップ付き安全ベルトを着用し、ロリップを梯子に設けた落下防止具に必ず連結装着しない限り梯子を昇り降りすることが出来ない梯子を提供する。【解決手段】任意の単数段又は複数段の踏み桟は、基部を一方の脚柱１０１−１等に倒立状態と水平状態に変更可能に軸装着し且つ基部には水平状態から倒立状態への復帰動作を可能にするスプリング回動機構２０１を有すると共に先端部には他方の脚柱に設けた水平支持具１０２への着脱具２０２を備える。更に前記一方の脚柱には、当該踏み桟の基部との間に、転落防止連結具４００の通過動作で当該踏み桟の倒立状態を解除して下降回動を可能にする第一ロック・解除具１１０と当該踏み桟の水平状態の維持とその解除をする第二ロック・解除具を設け、前記他方の脚柱には、水平状態になっている当該踏み桟の先端部の着脱具２０２を押し上げて前記第二ロック・解除具のロックを解除する解除具を設置する。【選択図】図３
0003181902.tif 000002
【実用新案登録請求の範囲】
【請求項１】
一対の脚柱と、脚柱間に水平に渡した踏み桟と、一方の脚柱内に安全ベルトの転落防止連結具を着脱可能にしたガイド機構とを備えた梯子において、
任意の単数段又は複数段の踏み桟は、基部を一方の脚柱に倒立状態と水平状態に変更可能に軸装着し且つ基部には水平状態から倒立状態への復帰動作を可能にするスプリング回動機構を有すると共に先端部には他方の脚柱に設けた水平支持具への着脱具を備え、
更に前記一方の脚柱には、当該踏み桟の基部との間に、前記転落防止連結具の通過動作で当該踏み桟の倒立状態を解除して下降回動を可能にする第一ロック・解除具と当該踏み桟の水平状態の維持とその解除をする第二ロック・解除具を設け、
前記他方の脚柱には、水平状態になっている当該踏み桟の先端部の着脱具を押し上げて前記第二ロック・解除具のロックを解除する解除具を設置したことを特徴とする梯子。
【考案の詳細な説明】
【技術分野】
【０００１】  本考案は、各種建設作業、植木剪定作業等において梯子を昇降利用する際に、必ず安全ベルトを梯子の落下防止具に連結して梯子を利用することを励行できる梯子を提供して転落事故の無い安全で且つ作業効率を高めることを可能にしたものである。
【背景技術】
【０００２】  例えば建設現場に建造作業では予め足場を構築し、各階に亘るエレベータを資材搬送、作業員搬送ように設置するが、上下の足場間にわたす梯子も作業者の重要なアイテムとして活用されている。【０００３】  梯子を扱い利用する場合は、梯子を利用する作業者の基本的な訓練と心得は一般公知の使用基準を厳守することが肝要であることは言うまでもない。
例えば、足元の支え状態の確認、梯子の固定状態の確認、梯子の鉛直状態の確認、作業位置の確認、横向き作業の回避、片手作業の回避、工具の肩掛けベルトの使用等々である。【０００４】梯子の一般構成は、一対の脚柱、脚柱間に渡した所定幅の踏み桟（ふみせん）、脚柱上下端の保護と滑り止めのための脚端具とからなる。これ等の構造部は所定の相対関係で形成され且つその構造体形状を崩さないように堅牢強固なものにしてある。
そして梯子の安全基準は（安全対策）としては一般に、梯子の脚柱の固定具の堅牢化、手摺りの設置、踏み外し転落防止用の安全ベルトの着用とそれを落下防止手段に連結しての安全確保状態での使用、長い梯子では休憩箇所の設置等である。
【考案の概要】
【考案が解決しようとする課題】
【０００５】本考案は、梯子を昇降の際に、ロリップ付き安全ベルトを着用し、ロリップを梯子に設けた落下防止具に必ず連結装着しない限り梯子を昇り降りすることが出来ない機構を提供して、転落事故の皆無を可能にしたものである。
つまり梯子の機能としては、梯子を昇るときに任意の単数段又は複数の段の踏み桟を予め倒立状態に退避させたおき、利用者が安全ベルトに連結したロリップを落下防止具に装着して、初めてロリップにより踏み桟の倒立状態ロックを解除して水平状態の足掛け可能状態にするとともに、この水平状態にした踏み桟を昇降通過後は、再び元の退避の倒立状態に戻して、次に昇降する人が落下防止具へのロリップ装着無しでは昇降できないようにして、ロリップ装着の梯子昇降を習慣励行させるものである。
【課題を解決するための手段】
【０００６】上記課題を満足させる本考案の基本的な技術構成は、次の（１）の通りである。
（１）、一対の脚柱と、脚柱間に水平に渡した踏み桟と、一方の脚柱内に安全ベルトの転落防止連結具を着脱可能にしたガイド手段とを備えた梯子において、
任意の単数段又は複数段の踏み桟は、基部を一方の脚柱に倒立状態と水平状態に変更可能に軸装着し且つ基部には水平状態から倒立状態への復帰動作を可能にするスプリング回動機構を有すると共に先端部には他方の脚柱に設けた水平支持具への着脱具を備え、
更に前記一方の脚柱には、当該踏み桟の基部との間に、前記転落防止連結具の通過動作で当該踏み桟の倒立状態を解除して下降回動を可能にする第一ロック・解除具と当該踏み桟の水平状態の維持とその解除をする第二ロック・解除具を設け、
前記他方の脚柱には、水平状態になっている当該踏み桟の先端部の着脱具を押し上げて前記第二ロック・解除具のロックを解除する解除具を設置したことを特徴とする梯子。
【考案の効果】
【０００７】本考案の梯子は、梯子で昇降の際に、ロリップ等の落下防止連結具を具備する安全ベルトを着用し、転落防止連結具を梯子に設けたガイドロープやガイドシャフト等のガイド手段に必ず連結装着しない限り梯子を昇り降りすることが出来ない機構を提供して、転落事故の皆無を可能にしたものである。
つまり梯子の機能としては、梯子を昇るときに任意の単数段又は複数の段の踏み桟を予め倒立状態に退避させたおき、利用者が安全ベルトに連結した落下防止具を梯子に付設したガイドロープ等に装着して、初めて落下防止具により踏み桟の倒立状態ロックを解除して水平状態の足掛け状態を可能するとともに、この水平状態にした踏み桟を昇降通過後は、再び元の退避の倒立状態に戻して、次に昇降する人が落下防止具への転落防止連結具の装着無しでは昇降できないようにロックして、転落防止連結具の装着の梯子昇降を習慣励行させることを実現するものである。
【図面の簡単な説明】
【０００８】
【図１】本考案の実施例を示し、昇る際の要領順の概要を示す説明図であり、（１）は昇る前の状態を示し、（２）は昇る時に転落防止連結具をガイドロープに装着して当該踏み桟を手動で下降回動させ順次水平状態にしてロックしていく状態を示し、（３）は作業者が踏み桟を水平状態にして梯子を昇れる状態にした説明図である。
【図２】図１の矢視Ｂ−Ｂからの側面説明図（１）である。
【図３】図１の（１）の円Ａの詳細拡大説明図である。
【図４】（２）と（３）における踏み桟倒立状態から水平状態に順次変更していく状態を示す正面からの面説明図であり、図５の矢視Ｄ−Ｄからの一部断面の正面説明図である。
【図５】図４の矢視Ｃ−Ｃからの一部断面の正面説明図である。
【図６】図１の要部の拡大正面説明図である。
【図７】水平状態にした踏み桟をもとの倒立状態にするために第二ロック・解除具のロックを解除する解除具の正面動作説明図である。
【考案を実施するための形態】
【０００９】本考案を実施するための形態は、次の実施例により詳細に説明する。
【実施例】
【００１０】実施例を図１〜図７と共に説明する。
図１〜図７において、本例の梯子Ｈは、一対の脚柱１００−１、１００−２と、脚柱１００−１、１００−２間に渡した最下段目２００−１と四段目以降の踏み桟２０−４〜２００−ｎと、二段目と三段目の開閉踏み桟２００−２、２００−３とからなる。
各踏み桟２００−１〜２００−ｎは、アルミや鉄等の金属製で外周面に滑り止めの溝型エンボス加工をしてある。【００１１】脚柱１００−１、１００−２は、アルミや鉄等の金属製で正面に縦長の切欠き１０１有し、横断面形状が矩形に類似のＣ型の筒状柱である。
脚柱１００−１、１００−２は、内部にガイド溝１０２を形成し、ガイド溝１０２内に転落防止用のガイドロープ３００を牽引調節可能に態で収容し、このガイドロープ３００には開閉扉１０３からロープ連結具である転落防止連結具４００を着脱可能に連結して上下摺動可能に収容する。【００１２】転落防止連結具４００は、ガイドロープ挟持部４０１を開いてガイドロープ３００を挿入して閉め、挿入したロープ部は挟持歯による噛み込とその解除を可能にした公知のものである。
転落防止連結具４００はガイドロープ挟持部４０１に、前記挟持歯のロープ噛み込と解除をする操作リング４０２を付設し、操作リング４０２は切欠き１０１から外部に突出させてその一端に連結ロープ４０３を連結し、この連結ロープ４０３を安全ベルトに連結するフック４０４を連結してある。
梯子Ｈを登る作業者は、装着した安全ベルトの連結リングに予めフック４０４を連結しておくものである。【００２０】ガイドロープ３００は上下端部を脚柱１００−１、１００−２の上下端部の連結具に連結して牽引状態にする。この連結具は、ロープ連結リングと、ロープ連結リングの操作ネジロッドと、操作ネジロッドのガイドと、ガイドに回転可能に装着し操作ネジロッドに螺合してガイドロープ３００の牽引力の調節または緩みを吸収するための調節螺子と有する。【００１３】二段目と三段目の開閉踏み桟２００−２、２００−３は、基部を一方の脚柱１００−１の支持アーム１０１に倒立状態と水平状態に変更可能に軸１０２で装着し且つ基部には水平状態から倒立状態への復帰動作を可能にするスプリング回動機構２０１を有すると共に先端部には他方の脚柱１００−２に設けた水平支持具１０３へのフック型の着脱具２０２を備えてある。【００１４】  更に前記一方の脚柱１００−１には、当該踏み桟２００−２、２００−３の基部との間に、前記転落防止用の連結具である転落防止連結具４００の通過動作で当該踏み桟２００−２、２００−３の倒立状態を解除して下降回動を可能にする第一ロック・解除具１１０と当該踏み桟２００−２、２００−３の水平状態の維持とその解除をする第二ロック・解除具１２０を設けてある。【００１５】  第一ロック・解除具１１０は、下部を軸着し上部にロック・解除用のカギ部１１２を有するロック片１１３を設け、ロック片１１３の軸１１６着部にロック片１１３を脚柱側への引張力を付与する両腕式スプリング１１４を設け、ロック片１１３の背部に長穴連結し転落防止連結具４００の通過動作で両腕式スプリング１１４に抗して前進してロック片１１３を解除方向に回動させるピストンアーム１１５を設けたものである。【００１６】  第二ロック・解除具１２０は、先端に球体１２１を有するロッド１２２をスプリング装填ボックス１２３内に後退可能に嵌めたものでロッド１２２先端の球体１２１をスプリングのバネ力で軸１０２に設けたカム２０３に圧接させ、踏み桟が水平状態になると該球体１２１がスプリングのバネ力でカム２０３の嵌り凹み（ハマリヘコミ）２０４に嵌り当該踏み桟の上昇回転をロックする。【００１７】  前記他方の脚柱１００−２には、水平状態になっている当該踏み桟２００−２、２００−３の先端部のフック型の着脱具２０２を突起１３１で押し上げて前記第二ロック・解除具１２０のロックを解除する解除具１３０を設置してある。【００１８】この解除具１３０は、利用者が踏み桟２００−２、２００−３を昇った後に、突起１３１にリンク１３２を介して連結した上下の操作アーム１３２−１を、または利用者が踏み桟２００−２、２００−３を降りた後に１３２−２を、図７に示すように手動で上に引き上げることによりフック型の着脱具２０２を押し上げてカム２０３と同時に回動させて、カム２０３の嵌り凹みから第二ロック・解除具１２０の球体を強制脱出させて前記第二ロック・解除具１２０のロック解除をする。【００１９】このロック解除の回動後は、スプリング回動機構２０１の伸びバネ力で当該踏み桟２００−２、２００−３は、元の倒立位置まで復帰回動して、嵌め穴２０４に第一ロック・解���具１１０のカギ部１１１を挿入係合して倒立状態を維持し水平状態への回動がロックされる。これでロリップ４００以外によるこの第一ロック・解除具１１０の解除は不能になり、開閉扉１０３を開けて転落防止連結具４００をガイドロープ３００に装着しない限り昇降することができない。【００２０】次に、本例の梯子の昇降手順例を以下に説明する。
＜昇る動作時＞
（１）、図１（１）に示す状態は、利用者は開閉扉を開き、安全ベルトにフックを掛けて連結した転落防止連結具４００をガイドロープ３００に装着する。
（２）、利用者は転落防止連結具４００を、スリットから突出した操作アームで上に引き上げて、図１（２）に示すように、第一ロック・解除具１１０のピストンアーム１１５に当てて踏み桟２００−２の倒立状態のロックを解除する。
（３）、踏み桟２００−２の操作アーム２５０を掴みスプリング回動機構２０１に抗して下降回転させて図１（２）に示すように水平支持具１０２にフックを掛けて、第二ロック・解除具１２０でこの状態をロックさせる。
（４）、水平状態にした、踏み桟２００−２に足をかけ昇る。
（５）、図１（３）に示すように、踏み桟２００−３に対しても同様な動作により、水平状態にロックさせて踏み桟２００−３に足をかけ昇る。
（６）、踏み桟２００−４に昇ったところで、図７に示すように、操作アーム１３２−２を上に操作して水平状態になっている踏み桟２２００−２及び２００−３を上回動させて、第二ロック・解除具１２０のロック状態を強制解除する。これで踏み桟２２００−２及び２００−３はスプリング回動機構２０１の復帰力で上昇回転して第一ロック・解除具１１０により、もとの倒立状態にロックされ復帰する。【００２１】＜降りる動作時＞
（１）、踏み桟２００−４に降りたところで、しゃがんで、手を伸ばし、転落防止連結具４００により倒立状態の踏み桟２００−３のロック解除し、この解除状態の踏み桟２００−３を手の代わりに足で操作アーム２５０により下降回転させて水平状態にしてロックして降りる。
（２）、踏み桟２００−２も前記の要領でロック解除し、手の代わりに足で操作アーム２５０により下降回転させて水平状態にしてロックして降りる。
（３）、次いで、踏み桟２００−１のところで或いは地面に降りたところで、転落防止連結具４００を外し、下側の操作アーム１３２−１を上に操作して水平状態になっている踏み桟２２００−２及び２００−３を上回動させて元の倒立状態に復帰させ転落防止連結具４００をガイドロープ３００に装着しない限り昇れないようにガイド溝１０２側から倒立状態をロックし、開閉扉１０３を閉める。
【産業上の利用可能性】
【００２２】  本考案は前記した優れた作用効果を呈するものである。このため、各種建設業界及び植木剪定等の造園業界の安全対策として貢献すること多大なものがある。
【符号の説明】
【００２３】Ｈ：梯子
１００−１、１００−２：脚柱
２００−１：最下段目踏み桟
２００−２、２００−３：二段目と三段目の開閉踏み桟
２０−４〜２００−ｎ：四段目以降の踏み桟
１０１：切欠き
１０２：ガイド溝
３００：ガイドロープ
１０３：開閉扉
４００：ロリップ
１０１：支持アーム
１０２：軸
２０１：スプリング回動機構
１０２：水平支持具
２０２：フック型の着脱具
１１０：第一ロック・解除具
１２０：第二ロック・解除具
１３０解除具
１３１：突起
１３２−１、１３２−２：操作アーム
【図１】
0003181902.tif 000003
【図２】
0003181902.tif 000004
【図３】
0003181902.tif 000005
【図４】
0003181902.tif 000006
【図５】
0003181902.tif 000007
【図６】
0003181902.tif 000008
【図７】
0003181902.tif 000009